(57)【要約】【課題】  本発明が解決しようとする課題は、安全で扱いやすく、しかも独り練習でも効率的にアプローチショットが正しい体勢で打てるようにゴルフスイングを矯正する器具を開発することである。【解決手段】  ゴルフにおけるスイング時に腕・ゴルフクラブシャフト間に取り付けて、腕・ゴルフクラブシャフト間の間隔を制御するゴルフスイング矯正器具において、(1)縮む方向へは自由に作動し、伸びる方向へは制約的に作動する腕・ゴルフクラブシャフト間の間隔制御部と、(2)前記間隔制御部材の一端に設けた前記ゴルフクラブシャフト部への接続部と、(3)前記間隔制御部材の一端に設けた腕部取り付け部とからなることを特徴とするゴルフスイング矯正器具である。【選択図】      図４
2006026055.tif 000002
【特許請求の範囲】
【請求項１】
ゴルフにおけるスイング時に腕・ゴルフクラブシャフト間に取り付けて、腕・ゴルフクラブシャフト間の間隔を制御するゴルフスイング矯正器具において、
(1)縮む方向へは自由に作動し、伸びる方向へは制約的に作動する腕・ゴルフクラブシャフト間の間隔制御部と、
(2)前記間隔制御部材の一端に設けた前記ゴルフクラブシャフト部への接続部と、
(3)前記間隔制御部材の一端に設けた腕部取り付け部
とからなることを特徴とするゴルフスイング矯正器具。
【請求項２】
前記間隔制御部が、
(1)巻き取り可能な間隔制御部材と、
(2)該間隔制御部材を巻き取る方向へ付勢され、かつ伸張方向への動きに制約を加えるストッパを備え、
縮む方向へは自由に作動し、伸びる方向へは制約的に作動することを特徴とする請求項１記載のゴルフスイング矯正器具。
【請求項３】
前記間隔制御部が、
(1)複数の間隔制御部材を遊動可能に嵌合し、
(2)該嵌合部が伸張方向への動きに制約を加えるストッパを備え、
縮む方向へは自由に作動し、伸びる方向へは制約的に作動することを特徴とする請求項１記載のゴルフスイング矯正器具。
【発明の詳細な説明】
【技術分野】
【０００１】
本発明はゴルフのスイング矯正器具に関するものである。具体的には、アプローチショット時に腕とクラブの角度を一定に保ったままボールをショットできるように、腕とクラブを矯正器具で固定してスナップを効かせないでショットできるように矯正するための矯正器具に関する。
【背景技術】
【０００２】
「無くて七癖」と言われるように、人は何らかの癖を持っている。とくにスポーツにおける癖は、一度身に染みてしまうとなかなか取り去ることが難しい。癖とは、まず本人が気が付かないで行う行動であるからだ。しかしながら、第三者に指摘されたからといって、すぐに矯正できるものでもない。良い癖ならばあえて矯正する必要はないが、一般に素人の癖は悪い癖であり、プレーに悪影響を及ぼすことが多い。頭で理解できていても、いざ直すとなると、その癖を矯正することは難しい。そこで矯正器具が使われる。
【０００３】
すべてのゲームに基本がある。基本は多くの先人が試行錯誤して最も好ましい形態として定跡化されたものである。初心者は、まず基本から始めなければならない。ところがゴルフは付き合いから始まり、最初からプレーという人も多い。自己流でもあるレベルまでには達する。しかしその後、伸び悩む。そこで基本に立ち返り、基礎を学習する人も少なくない。そのときは、自己流の形が癖となって身に染み着いているために矯正することが難しい状態になっている。こうなると、頭だけで理解して練習を重ねても、癖を除くことは困難である。
【０００４】
ゴルフではグリップ、セットアップ、バックスイング、トップ、ダウンスイング、インパクト、フォロー、フィニッシュ、タイミング、アプローチショット、パター、バンカーショットなど、クラブの握り方やショットのタイミングさらに様々な状況におけるショットで、それぞれの基本が存在する。それだけに、本格的にやるとなると多くのことを学ばなければならない。ただし要所要所の基本をつかんでおくことによって、他に応用することは可能であるから、効率的な学習も可能なはずである。
【０００５】
本発明が扱っているアプローチショットでは、正確に狙った方向に狙った距離だけ飛ばすことが重要になってくる。グリーン周りのアプローチショットでは、構えたときの両腕と肩の間にできる三角形を崩さずに打つことが重要であり、手首をこねるような打ち方をしないことが基本になる。手首をこねるような打ち方、すなわちスナップを効かす打ち方では、ボールが飛びすぎたり、安定した方向にボールを飛ばすことが難しくなる。
【０００６】
図１はアプローチショットの一連の動作を概念的に示した図である。（１）は構えた状態である。このとき、肩と腕とで出来る三角形は（１２）のショットが終了するまで崩さないことが基本となる。また（５）の振り上げてトップの状態になったときに出来る腕とクラブとがなす角度は、（１２）のフィニッシュ時まで変えないように心掛けることによって、手打ちやスナップを効かせた打ち方を防ぐことができる。
【０００７】
クラブスイング矯正器具を扱った発明や考案はいくつもある。『クラブスイング矯正具』（特許文献１）では、予定半径の円弧に沿ってクラブをスイングできるように矯正するための器具について触れられている。この器具は、クラブシャフトの一端をクラブに固定し、他端を支柱またはプレーヤーの首に固定して、クラブが一平面上を正しく円弧を描くようにスイングできるように矯正するものである。
【０００８】
『ゴルフスイング矯正器具』（特許文献２）は右手首が手のひら側に曲がる癖を矯正するための器具について触れられている。この器具は、腕に固定する帯（ベルト）と指に掛ける輪と、それをつなぐ紐からなり、クラブをスイングするときに手首（とくに右手首）が曲がることを防ぎ、正しいスイングができるようにするものである。
【特許文献１】特開昭５７−９６６６７号公報
【特許文献２】実開昭５４−１４９３６８号公報
【発明の開示】
【発明が解決しようとする課題】
【０００９】
アプローチショットでは、狙った方角に狙った距離だけボールを正確に打つことが重要である。手打ちになったり、スナップを効かせすぎたりすると、狙った方向に飛ばなかったり、ボールを飛ばしすぎたりして、安定したショットができない。そこで背景技術で挙げたように、構えからクラブを振り上げてトップの状態になったときのクラブと腕の作る角度が一定の状態でスイングすることが重要になる。すなわち、この状態を保ってスイングすれば、手首の曲がりもなく、安定したショットが可能となる。
【００１０】
頭で理解していても、いざ実際に実行するとなると、思うようにスイングできないものである。癖とは、そういうものだからである。インストラクタなどが付いている場合には、そのつど指摘をしてもらいながら矯正できるが、独り練習の場合には、思うように矯正できない。手打ち矯正の一つとして、竹箒の一端を左脇に抱えてスイングする方法がある。この方法では、手打ちになると竹箒が体に当たり、自分のスイングの問題点が分かるというものである。簡単な方法ではあるが、ある程度の効果は得られる。ただし、扱いにくいことも確かである。特許文献２に掲載の器具もアプローチショットの矯正には効果的であるが、親指が輪で固定され、しかも長さが固定されているために、力が入りすぎたときに親指を傷める危険性がある。  
【００１１】
そこで本発明が解決しようとする課題は、安全で扱いやすく、しかも独り練習でも効率的にアプローチショットが正しい体勢で打てるように矯正する器具を開発することである。
【課題を解決するための手段】
【００１２】
上記の発明が解決しようとする課題を解決するために、本発明ではショット時、腕とクラブとの角度が一定になるような器具を開発する。請求項１に記載された発明は、ゴルフにおけるスイング時に腕・ゴルフクラブシャフト間に取り付けて、腕・ゴルフクラブシャフト間の間隔を制御するゴルフスイング矯正器具において、(1)縮む方向へは自由に作動し、伸びる方向へは制約的に作動する腕・ゴルフクラブシャフト間の間隔制御部と、(2)前記間隔制御部材の一端に設けた前記ゴルフクラブシャフト部への接続部と、(3)前記間隔制御部材の一端に設けた腕部取り付け部とからなることを特徴とするゴルフスイング矯正器具である。
【００１３】
請求項２に記載された発明は、前記間隔制御部が、(1)巻き取り可能な間隔制御部材と、(2)該間隔制御部材を巻き取る方向へ付勢され、かつ伸張方向への動きに制約を加えるストッパを備え、縮む方向へは自由に作動し、伸びる方向へは制約的に作動することを特徴とする請求項１記載のゴルフスイング矯正器具である。
【００１４】
請求項３に記載された発明は、前記間隔制御部が、(1)複数の間隔制御部材を遊動可能に嵌合し、(2)該嵌合部が伸張方向への動きに制約を加えるストッパを備え、縮む方向へは自由に作動し、伸びる方向へは制約的に作動することを特徴とする請求項１記載のゴルフスイング矯正器具である。
【００１５】
とくに本発明で重視している点は、トップ状態の時の腕とクラブがなす角度が一定の状態に保たれながらスイングすることを可能にすることである。そのため、構えからトップの状態にクラブを振り上げるまでの動作では、ある程度の腕とクラブの位置関係が短縮することを可能としている。しかし、トップからスイング状態に入り、フィニッシュまでの一連の動作では、腕とクラブの距離を一定に保てるようにしている。これにより、腕とクラブのなす角度が一定に保たれ、スナップを効かせた打法を避けることができるようになっている。
【００１６】
一方安全面では、無理な力が腕に掛かったときに、矯正器具の長さが完全に固定されていると、器具を壊したり腕を傷めたりする危険性がある。そこで、本発明ではある一定以上の力がクラブに掛かったときには、長さが伸びるように工夫してある。具体的には、以下の通りである。
【００１７】
本発明のスイング矯正器具は次のような構造を有している。すなわち、クラブ側固定部（ゴルフクラブシャフト部への接続部）と腕側固定部（腕部取り付け部）、および該両固定部をつなぐ連結部（間隔制御部）とからなり、連結部（間隔制御部）の長さが調整でき、構えの位置からトップ位置までクラブを移動するときには連結部（間隔制御部）が縮む方向に対して移動が自由であり、伸びる方向に対しては動きが制限される構造を有する矯正器具である。ただしスイング時、無理な力が掛かったときには伸びる方向に対しても、移動が可能な連結部の構造にしている。
【００１８】
前記のスイングを可能とする構造として、一つは巻取式矯正器具であり、もう一つは連結部（間隔制御部）が棒状をした矯正器具の２種類を提供する。前者は、クラブ側固定部に巻取式の収納器具を付ける。これを巻取収納部と呼ぶ。巻取収納部は箱型をしていて、内部中心部がバネ仕掛になっている。このため、連結部（間隔制御部）を引っ張ると収納部から連結部（間隔制御部）が外に出てきて伸び、力を緩めるとバネによって自動的に連結部（間隔制御部）が内部に引き込まれ、連結部（間隔制御部）が短くなる。巻取収納部にはストッパが付いていていて、ストッパを効かせると、連結部（間隔制御部）の長さが固定される。ただし、ストッパは摩擦力で連結部（間隔制御部）を抑える形になっているために、強い力が働いたときには収納部から連結部（間隔制御部）が引き出されて伸びる。
【００１９】
もう一つの棒状矯正器具は、連結部（間隔制御部）が外管と内管とで構成され、内管の外側に鋸状の刻みがあり、外管内部に内管と同じ形状の鋸状の刻みをもち、両者の刻みがかみ合うことによって長さを調整する形態になっている。内管は二つに分かれていて、バネで内管外部の山形を外管内部の山形に押し付ける形になっている。この鋸状の刻みは押し込む方向に対してはなだらかな傾斜であり、引き出す方向に対しては鋭い傾斜にしている。これによって、押し込む方向に対してはわずかな力で動作し、伸びる方向に対しては大きな力を必要とする。従って、スイング時に大きな力が掛かったとき以外は長さが固定される。
【００２０】
本発明のスイング矯正器具は、伸びる方向に対しては連結部（間隔制御部）の長さが固定されている。これはスイング時、スナップを効かせる傾向にあるゴルファの癖を矯正するためである。しかし、矯正器具がクラブと腕に完全に固定された状態では、無理な力が掛かったときに思わぬ事故につながる危険性がある。そこで本発明では、伸びる方向に対してはある一定以上の力が掛かったときに、連結部（間隔制御部）が伸びるようにしてある。その場合でも、どれだけ定位置からズレているかを見る目安を知ることができるように、連結部（間隔制御部）に目盛りを付けておく。これによって、構え時の目盛り、トップ位置での目盛りおよびショットフィニッシュ時の目盛りを比較することによって、ズレの状態を数値で知ることができるようにしてある。もっとも、これは無理な力が掛かったときのみであり、伸びる方向に弱い力が掛かった程度では長さは変わらない。ただし巻取式矯正器具では、リリース状態（ストッパのロック解除時）では自由に連結部（間隔制御部）の長さが変わる。
【発明の効果】
【００２１】
本発明はアプローチショット時の腕とクラブの角度を一定に保てるように矯正する矯正器具である。背景技術でも挙げたように、アプローチショットで正確な方向と距離を得るために、構えのときの腕と肩の作る三角形を保つことや、手打ちやスナップショットにならないように腕とクラブのなす角度を保つことが求められる。そのため、本発明の矯正器具では、伸びる方向に対しては固定され、短くなる方向には自由移動が可能な構造としている。これは通常、構えからトップ位置にクラブを移動するときに若干クラブと腕の位置が近づくためである。それを、本発明の器具では認めている。ただし、巻取式矯正器具のストッパを使うと、構えの位置でストッパを効かせた状態にしておけば、構えからトップ位置、さらにはスイングからフィニッシュまで、長さを一定にしてショットすることも可能になっている。
【００２２】
本発明のスイング矯正器具は連結部（間隔制御部）の長さが可変であり、体形の違う人によらず誰でも使用できるものとなっている。また腕側固定部を手首の上辺り（肘より下の下腕部）にセットすれば、リストの矯正を中心にした練習が行える。すなわち、リストを使わないショットの練習が可能となる。一方、腕側固定部を上腕部にセットすれば、左右の腕と肩とのなす角度を一定に保つ矯正練習にも利用できる。
【００２３】
本発明の矯正器具では危険防止策として、伸びる方向に対してある一定以上の力が掛かったときには、連結部（間隔制御部）が伸び、腕や手に無理な力が掛からないようにしている。このため、矯正器具を壊したり、腕や手を傷めたりすることはない。また無理な力で連結部が伸びた場合には、どの程度の伸びがあるかを、連結部の目盛りで確かめることもでき、次の練習に生かすこともできるようになっている。
【発明を実施するための最良の形態】
【００２４】
本発明を実施するための最良の形態を図を用いて説明する。図２は、スイング矯正器具を装着したときの様子を示した図である。スイング矯正器具は連結部（間隔制御部）1、クラブ側固定部（ゴルフクラブシャフト部への接続部）2および腕側固定部（腕部取り付け部）3から構成されている。クラブ側固定部はクラブ（通常柄の先端部）に装着し、腕側固定部は腕に装着する。腕側固定部は手首と肘の間か、肘よりわずか上の肩寄りの位置に装着する。手首だけを矯正するときは前者の位置に装着し、腕全体の矯正には後者の位置に装着する。いずれの場合も、図３に示すように腕とクラブのなす角度が一定になるように矯正される。
【００２５】
図４は、巻取式のスイング矯正器具の各部分を斜視図にしたものである。クラブ側固定部2の上に台座130が設置され、その上に巻取収納部120が設置されている。固定部2はクラブに固定する部位であり、ベルト式でもよい（本発明ではとくに規定しない）。台座と収納部は一点で接続される構造になっていて、台座上で収納部が回転動作することはできる（後述の図７参照）。連結部110は巻き尺のように収納部から出し入れが可能となっていて、先端部分は腕側固定部3に接続できるようになっている。これを、ここでは結合部111と呼ぶ。この結合部111を腕側固定部に取り付けられた結合部310に挿入すると、安定した接続が行える。この構造についての詳細は省略するが、最近のリュックサックで使われているベルトの結合構造と同じものである。結合部111はリリースボタン311を押し込むと外れる。
【００２６】
ストッパ機構部140は巻取の出し入れをストップするもので、ストッパを動作させる力を伝達させるために被覆部の内部にワイヤーが入っていて、ストッパ操作ボタン141aを押すとストッパが働き（ロック）、引くとストッパが解除（リリース）される。図５は、巻取収納部120とストッパ操作ボタン141aの位置関係を示している。ストッパ操作ボタンは親指p1で操作できるように、クラブ9を握ったときの手の親指が届く位置にセットする。
【００２７】
図６は分岐ケース143および収納部のストッパ部の内部構造を示している。（１）に示すように分岐ケース143の内部は空洞部143aになっていて、力分岐機構部141bが前後に動くような構造になっている。ストッパ操作ボタン141aを押す（ロック方向に動かす）と、力分岐機構部で左右のワイヤー141を通して（２）の左右の収納部のストッパ142が下に押され、ロック状態になる。一方、ストッパ操作ボタンを手元に引く（リリース方向に動かす）と、力分岐機構部によって左右のストッパ142が上がり、ロック状態が解除される。なお、分岐ケース143は分岐ケース固定部210（ベルト式でもよい）でクラブに固定できるようになっている。
【００２８】
図７は巻取収納部の内部構造である。（１）は連結部110が巻き取られた状態を示し、（２）は引き出されたときの状態を示している。連結部110（巻取）の端は回転式仕切121に巻取固定部112で固定されている。一方、回転式仕切の内部はバネ仕掛（ゼンマイを使用）になっていて、ゼンマイ122の一端はゼンマイ固定部1221で回転式仕切に固定し、他端はゼンマイ固定部1222で中心軸123に固定する。（２）のように連結部110を引っ張ると、回転式仕切が回転して、連結部が外に引き出される。ゼンマイが縮むと、連結部を内部に引き戻そうとする力が働く。連結部に掛かる力を抜くと、連結部はゼンマイの働きによって自動的に巻取収納部120に巻き取られる。ストッパ142をロックすると、連結部は一定の長さで固定される。ただし、ストッパは摩擦力で押さえているだけであるから、ある一定以上の力が掛かると、連結部は外に引き出される。これによって、巻取収納部全体に無理な力が掛かることを防いでいる。なお台座130と巻取収納部120は結合部131で接続していて、収納部が台座上を回転することができるようになっている。
【００２９】
図４では腕側固定部と連結部ははめ込み式にしてあるが、図８のように輪を絡ませる形でもよい。図８の例は、結合部111の先端を輪形結合部111aにし、腕側固定部3の結合部310も輪形になっていて、両結合部を絡ませることで結合できる構造になっている。結合部310にはバネ機構付き開閉部310aが設けてあり、この開閉部で輪形結合部111aを填めたり、外したりすることができるようになっている。
【００３０】
図９は棒状矯正器具の構造を示している。（１）は棒状連結部全体像を側面から見たところであり、（２）は内部構造を示す断面図でり、（３）は内管と外管の断面図である。棒状連結部は外管151と内管152とから構成され、その内部は鋸状の山形になっていて、両者の山形がかみ合う形になっている。内管は二つに割れていて、上下の間にバネ152sが付いている。また山形の傾斜は押し込む方向にはなだらかであり、引き出す方向には鋭くなっている（α＞β）。このため、短くなる方向には小さな力で動き、長くなる方向には大きな力を必要とする。
【００３１】
図１０は、傾斜θで平面接触しているＡ（内管外部山形斜面）とＢ（外管内部山形斜面）があり、斜面Ａに水平方向に力Ｆが掛かったときの、各力の成分を示している。斜面に沿っての下向きの力ｆ´が摩擦力μＮ（Ｎは抗力）よりも大きくなれば、斜面は下方向にずれることになる。ここでμは斜面が動いているときは動摩擦係数であり、静止しているときは静止摩擦係数である。θが０゜に近ければ近いほど押し込みやすくなるが、しかし本発明の内管ではバネの力で垂直方向に押し上げる力が働いているから、垂直下方向の力ｆがバネの力よりも大きくなければ、斜面はずれない。実際には摩擦力も考える必要があるから、
垂直下方向の力＝ｆ−ｆ″
＝Ｆsin(2θ)／２−μＦsin(θ)sin(θ)
という関係式が成り立つ。垂直下方向の力がバネの弾性力以上になったとき、斜面は動く。摩擦係数μが十分に小さい場合には、垂直下方向の力はθ＝４５°のとき最大となる。一方、θが９０°になると下方向の力ｆ＝０となるから、斜面はどのような大きな力を掛けても動かない。このことから、αは４５゜近辺の角度、βは０゜より大きく１０゜以下程度の角度が好ましい。もっともこの値は必ずしもベストというわけではなく、バネの強さや山形接触面の摩擦係数（通常は０に近いほうが好ましい）によって決めることになる。
【００３２】
図１１は内管の構造を示した断面図である。内管支持部1521は滑らかな形態で腕側固定部に接続する部分である。内管長さ調整部1522の外部は鋸状の山形をしていて、中心部は二つに分かれ、バネ152sが仕込まれている。内管長さ調整部と内管支持部とは軸1525で接続されていて、内管長さ調整部が上下に動ける構造になっている。
【００３３】
図９および図１１ではバネ（スプリング）を仕込んだ構造であったが、図１２のように素材の弾性力を用いた方法も可能である。内管長さ調整部1522は鋸状山形構造は同じであるが、内管に弾力性のある素材を用いることによって、スプリングを仕込んだ場合と同じ効果を得ることができる。
【００３４】
なお、図４および図９の記号110mと152mは目盛りを合わす。これは、どれだけの長さに連結部を調整すればよいかを決めるときの目安となり、またショット時に無理な力やリストのひねくり、腕の振りにより姿勢の崩れがあったかを数値で確認する手助けとなる。また図９の（３）の断面図に示すように、外管内管は円形が好ましいが、内部は円でも立方形でも構わない。ただし本発明ではこの形状に関しては、とくに規定しない。
【産業上の利用可能性】
【００３５】
本発明はアプローチショット時の腕とクラブの角度を一定に保てるように矯正する矯正器具である。背景技術でも挙げたように、アプローチショットで正確な方向と距離を得るために、構えのときの腕と肩の作る三角形を保つことや、手打ちやスナップショットにならないように腕とクラブのなす角度を保つことが求められる。そのため、本発明の矯正器具では、伸びる方向に対しては固定され、短くなる方向には自由移動が可能な構造としている。これは通常、構えからトップ位置にクラブを移動するときに若干クラブと腕の位置が近づくためである。それを、本発明の器具では認めている。ただし、巻取式矯正器具のストッパを使うと、構えの位置でストッパを効かせた状態にしておけば、構えからトップ位置、さらにはスイングからフィニッシュまで、長さを一定にしてショットすることも可能になっている。
【００３６】
本発明のスイング矯正器具は連結部（間隔制御部）の長さが可変であり、体形の違う人によらず誰でも使用できるものとなっている。また腕側固定部を手首の上辺り（肘より下の下腕部）にセットすれば、リストの矯正を中心にした練習が行える。すなわち、リストを使わないショットの練習が可能となる。一方、腕側固定部を上腕部にセットすれば、左右の腕と肩とのなす角度を一定に保つ矯正練習にも利用できる。
【００３７】
本発明の矯正器具では危険防止策として、伸びる方向に対してある一定以上の力が掛かったときには、連結部（間隔制御部）が伸び、腕や手に無理な力が掛からないようにしている。このため、矯正器具を壊したり、腕や手を傷めたりすることはない。また無理な力で連結部が伸びた場合には、どの程度の伸びがあるかを、連結部の目盛りで確かめることもでき、次の練習に生かすこともできるようになっている。
【図面の簡単な説明】
【００３８】
【図１】技術背景におけるアプローチショットの一連の動作を示す模式図である。
【図２】本発明のアプローチショット時のスイング矯正器具を装着したときの説明図である。
【図３】本発明のスイング矯正器具を付けてアプローチショットを行うときのスイングの説明図である。
【図４】本発明の巻取式スイング矯正器具の構成部品を説明する斜視図である。
【図５】本発明の巻取式スイング矯正器具のストッパ機構を説明する側面図である。
【図６】本発明の巻取式スイング矯正器具のストッパ機構を説明する断面図である。
【図７】本発明の巻取式連結部型スイング矯正器具の巻取収納部の構造を説明する断面図である。
【図８】本発明のスイング矯正器具の、腕側固定部につなげる結合部の構造例を示す側面図である。
【図９】本発明の棒状スイング矯正器具の側面図と内部構造を説明する断面図である。
【図１０】本発明の棒状スイング矯正器具の山形斜面に掛かる力を説明するための断面図である。
【図１１】本発明の棒状スイング矯正器具の内管構造を説明するための断面図である。
【図１２】本発明の、スプリングを使わない棒状スイング矯正器具の内管構造を説明するための断面図である。
【符号の説明】
【００３９】
１        スイング矯正器具の連結部（間隔制御部）
１１０    巻取式連結部（間隔制御部）
１１０ｍ  目盛り
１１１    結合部
１１１ａ  輪形結合部
１１２    巻取固定部
１２０    巻取収納部
１２０ａ  台座（ストッパを押し付けたときの受け台）
１２１    回転式仕切
１２２    ゼンマイ
１２２１  ゼンマイ固定部
１２２２  ゼンマイ固定部
１２３    中心軸
１３０    台座（巻取収納部とクラブ側固定部を結合する受け台）
１３１    結合部
１４０    ストッパ機構部
１４１    ワイヤー（力伝達部）
１４１ａ  ストッパ操作ボタン
１４１ｂ  力分岐機構部
１４２    ストッパ
１４３    分岐ケース
１４３ａ  空洞部
１５１    棒状連結部外管
１５１ａ  結合部
１５２    棒状連結部内管
１５２ａ  結合部
１５２ｍ  目盛り
１５２ｓ  バネ（スプリング）
１５２１  内管支持部
１５２２  内管長さ調整部
１５２５  軸
２        クラブ側固定部（ゴルフクラブシャフト部への接続部）
２１０    分岐ケース固定部
２３０    結合部
３        腕側固定部（腕部取り付け部）
３１０    結合部
３１０ａ  バネ機構付き開閉部
３１１    リリースボタン
９        ゴルフクラブ
ｐ        プレーヤー
ｐ１      親指
他は本文参照。
【図１】
2006026055.tif 000003
【図２】
2006026055.tif 000004
【図３】
2006026055.tif 000005
【図４】
2006026055.tif 000006
【図５】
2006026055.tif 000007
【図６】
2006026055.tif 000008
【図７】
2006026055.tif 000009
【図８】
2006026055.tif 000010
【図９】
2006026055.tif 000011
【図１０】
2006026055.tif 000012
【図１１】
2006026055.tif 000013
【図１２】
2006026055.tif 000014